(57)【要約】【課題】スピーカのびびりが生じにくいインターホン装置を提供する。【解決手段】一対の固定部２５，２５にそれぞれ腕部１５ｃ，１５ｃの先端部分を圧入固定した後、コイルばね部１５ａ，１５ａのばね力に抗して連結部１５ｂを係止部２６ａに係止すれば、２つの腕部１５ｃ，１５ｃとカバー２（ボス部２１）内側の前面との間にスピーカ１０１を挟んで保持できる。このように取付ばね１５を用いれば、ねじ止めに比べてスピーカ１０１を簡単にカバー２に取り付けることができ、しかも、取付ばね１５のばね力によってスピーカ１０１がカバー２に圧接されているので、器体とスピーカとの間に生じる隙間に起因した「スピーカのびびり」が発生する虞がない。【選択図】図１
2008034993.tif 000002
【特許請求の範囲】
【請求項１】
住戸内に設置され、住戸外に設置されたドアホン子器との間で通話するインターホン装置であって、
通話用のマイクロホン並びにスピーカと、マイクロホンから出力する音声信号をドアホン子器に送信するとともにドアホン子器から受信する音声信号でスピーカを鳴動させる音声信号処理手段と、マイクロホン、スピーカ、音声信号処理手段を内部に収納する器体と、器体との間で弾性力によってスピーカを保持するばね部材とを備えたことを特徴とするインターホン装置。
【請求項２】
ばね部材は、同軸上に並ぶ２つのねじりコイルばねを互いに対向する側の腕部同士で連結してなるダブルトーション形のねじりコイルばねから構成され、
ばね部材における腕部の連結部位が係止する係止部と、ばね部材における互いに連結されていない側の腕部の先端部分が各々固定される固定部とが器体に設けられ、先端部分が固定部に固定された２つの腕部と器体内側の前面との間にスピーカを挟んで保持することを特徴とする請求項１記載のインターホン装置。
【発明の詳細な説明】
【技術分野】
【０００１】
本発明は、住戸内に設置され、住戸外に設置されたドアホン子器との間で通話するインターホン装置に関するものである。
【背景技術】
【０００２】
この種のインターホン装置として、ハンドセット（送受話器）の代わりにマイクロホンとスピーカを備え、いわゆるハンズフリー通話を可能としたものが提供されている（例えば、特許文献１参照）。このようなハンズフリータイプのインターホン装置では、器体に対してスピーカをねじで固定したり、あるいは、特許文献１に記載されている従来例のように、器体内側に突設されている鈎形の突起と器体内面との間に端部を挿入係止してスピーカを器体に固定している。
【特許文献１】特許第３４８７１０５号公報
【発明の開示】
【発明が解決しようとする課題】
【０００３】
しかしながら、ねじ止めの場合は組立時におけるねじの締め不足や経時的なねじのゆるみによってスピーカと器体との間に隙間が生じ、スピーカが鳴動したときに当該隙間によってスピーカ全体が振動する、いわゆる「スピーカのびびり」が発生するという問題があった。なお、特許文献１に記載されている従来例においても、突起及び器体とスピーカとの間に隙間が生じるから、同様に「スピーカのびびり」が発生する虞がある。
【０００４】
本発明は上記事情に鑑みて為されたものであり、その目的は、スピーカのびびりが生じにくいインターホン装置を提供することにある。
【課題を解決するための手段】
【０００５】
請求項１の発明は、上記目的を達成するために、住戸内に設置され、住戸外に設置されたドアホン子器との間で通話するインターホン装置であって、通話用のマイクロホン並びにスピーカと、マイクロホンから出力する音声信号をドアホン子器に送信するとともにドアホン子器から受信する音声信号でスピーカを鳴動させる音声信号処理手段と、マイクロホン、スピーカ、音声信号処理手段を内部に収納する器体と、器体との間で弾性力によってスピーカを保持するばね部材とを備えたことを特徴とする。
【０００６】
請求項２の発明は、請求項１の発明において、ばね部材は、同軸上に並ぶ２つのねじりコイルばねを互いに対向する側の腕部同士で連結してなるダブルトーション形のねじりコイルばねから構成され、ばね部材における腕部の連結部位が係止する係止部と、ばね部材における互いに連結されていない側の腕部の先端部分が各々固定される固定部とが器体に設けられ、先端部分が固定部に固定された２つの腕部と器体内側の前面との間にスピーカを挟んで保持することを特徴とする。
【発明の効果】
【０００７】
請求項１の発明によれば、器体との間で弾性力によってスピーカを保持するばね部材を備えているので、ねじ止めや単なる係止と比較してスピーカと器体との間に隙間が生じず、その結果、スピーカのびびりが生じにくい。
【０００８】
請求項２の発明によれば、連結されていない２つの腕部の先端部分を固定部に固定し、当該２つの腕部と器体内側の前面との間にスピーカを挟んだ状態で腕部の連結部位を係止部に係止することでスピーカを簡単に取り付けることができる。
【発明を実施するための最良の形態】
【０００９】
以下、図面を参照して本発明の実施形態を詳細に説明する。
【００１０】
本実施形態のインターホン装置Ａは、図８に示すように住戸外（例えば、外玄関）に設置されたドアホン子器Ｂとの間で通話するためのインターホン親機である。ドアホン子器Ｂは、マイクロホン並びにスピーカと、来訪者を撮像するカメラと、カメラから出力する映像信号を周波数変調する変調回路と、インターホン装置Ａを呼び出すための呼出信号を送信する呼出信号送信回路等を具備し、音声信号と変調された映像信号（以下、「ＦＭ映像信号」と呼ぶ。）を周波数多重化し、信号線Ｌｓを介してインターホン装置Ａに伝送する。ここで、ドアホン子器Ｂの動作電源は、信号線Ｌｓを介してインターホン装置Ａから供給されるようになっており、ドアホン子器Ｂの呼出信号送信回路は、信号線Ｌｓの線間電圧を変化させることで呼出信号を送信している。但し、このようなドアホン子器Ｂは従来周知であるから、詳細な構成についての図示並びに説明は省略する。
【００１１】
インターホン装置Ａは、マイクロホン１００並びにスピーカ１０１と、ドアホン子器Ｂとの拡声通話のために音声信号を処理する音声信号処理部１０２と、２線−４線変換回路を含み、マイクロホン１００から出力されて音声信号処理部１０２で処理された音声信号を信号線Ｌｓを介してドアホン子器Ｂに伝送するとともに、信号線Ｌｓを介してドアホン子器Ｂから多重伝送される音声信号とＦＭ映像信号を分離する多重分離部１０３と、液晶ディスプレイのような表示デバイスを有するモニタ部１０４と、多重分離部１０３で分離されたＦＭ映像信号を復調するとともに復調した映像信号を信号処理してモニタ部１０４に表示させる映像信号処理部１０５と、信号線Ｌｓを介してドアホン子器Ｂから送信されてくる呼出信号を受信する呼出信号受信部１０６と、マイコンを主構成要素とし各部の動作を制御する制御部１０７と、後述するようにドアホン子器Ｂからの呼出に応答して通話を開始する際に操作される通話スイッチＳＷ１などの操作スイッチの操作入力を受け付ける操作入力受付部１０８と、ＥＥＰＲＯＭなどの書換可能な不揮発性メモリからなり制御部１０７のマイコンが実行するプログラムを格納するメモリ部１０９と、外部からメモリ部１０９に格納されているプログラムを書き換えるために通信ケーブル（図示せず）が接続される通信コネクタ１１０とを備えている。なお、インターホン装置Ａの各部の動作電源は、図示しない電源回路によって商用電源から作成される。
【００１２】
而して、来訪者がドアホン子器Ｂの呼出釦を押操作すると呼出信号送信回路が信号線Ｌｓを介してインターホン装置Ａへ呼出信号を送信する。インターホン装置Ａでは、呼出信号受信部１０６で呼出信号を受信すると制御部１０７が信号線Ｌｓを介してドアホン子器Ｂへ動作電源を供給するとともに音声信号処理部１０２を制御してスピーカ１０１から呼出音を鳴動させる。そして、ドアホン子器Ｂではインターホン装置Ａから電源供給を受けてカメラが起動し、来訪者を撮像した映像信号（ＦＭ映像信号）を信号線Ｌｓを介してインターホン装置Ａに送信する。インターホン装置Ａでは、ドアホン子器Ｂから送信されたＦＭ映像信号を映像信号処理部１０５で受信し復調してモニタ部１０４に表示させる。そして、呼出音を聞いた家人が通話スイッチＳＷ１を操作すると、その操作入力が操作入力受付部１０８で受け付けられ、操作入力受付部１０８から操作信号を受け取った制御部１０７が音声信号処理部１０２を起動してドアホン子器Ｂとの間で通話可能な状態とする。
【００１３】
また、通信コネクタ１１０は制御部１０７が有する通信ポートに接続されており、通信コネクタ１１０を介して外部から伝送されるデータによって、制御部１０７がメモリ部１０９に格納されているプログラムを書き換えるようになっている。
【００１４】
次に、図１〜図７を参照して本実施形態のインターホン装置Ａの構造について説明する。但し、以下の説明では図１を基準として図１の上下方向を前後方向、図１の右上と左下の方向を上下方向、図１の左上と右下の方向を左右方向と定義する。
【００１５】
合成樹脂成形品からなるボディ１とカバー２を結合することで器体が構成されている。ボディ１は、上下方向に対して左右方向の寸法が長く且つ前面が開口した略箱形の収納部１ａと、収納部１ａの前端部分から上下並びに左右方向へ突出するようにして略矩形枠状に形成されたフランジ部１ｂとを有している。カバー２は、フランジ部１ｂを含むボディ１の前面全体を覆う扁平な略矩形状に形成された主部２０と、主部２０の中央より僅かに前方へ突出するボス部２１と、主部２０の周縁より全周に渡って後方へ突出する周壁部２２とを有している。図５並びに図６に示すように、周壁部２２の上下両側の後端面には内向きに突出する複数（図示例では各々３つ）の係止爪２２ａが等間隔に設けられ、また、主部２０後面の四隅には円筒形のねじ止め部２０ａが後方に向かって突設されている。すなわち、周壁部２２の内側にフランジ部１ｂを嵌合するようにしてボディ１の前面にカバー２を被着すれば、複数の係止爪２２ａがそれぞれフランジ部１ｂの後端面に係止してボディ１とカバー２を仮止めすることができ、さらに、フランジ部１ｂの四隅に貫通する４つのねじ挿通孔１ｃに後方から挿通した４本の組立ねじ５を４つのねじ止め部２０ａに各々螺合することでボディ１とカバー２を結合して器体を組み立てることができる（図２参照）。
【００１６】
ボディ１の収納部１ａには、第２の回路ブロック８、第３の回路ブロック９、第４の回路ブロック１０が前後方向に重なるようにして収納される（図１及び図７参照）。第２の回路ブロック８は、商用電源から内部の動作電源を作成するための電源回路を構成する回路部品や電源回路への給電を入切するための電源スイッチ８ｂをプリント配線板８ａに実装して構成されている。第３の回路ブロック９は、信号線Ｌｓを接続するための端子台９ｂや呼出信号受信部１０６等を構成する回路部品をプリント配線板９ａに実装して構成されている。第４の回路ブロック１０は、多重分離部１０３等を構成する回路部品をプリント配線板１０ａに実装して構成されている。そして、これら３つの回路ブロック８〜１０は、収納部１ａの内底壁から前方へ向けて複数が突設されている円筒形のねじ止め部１ｅに各々ねじ止めして固定される。また、最前列に位置する第２の回路ブロック８の前方には、可撓性を有する絶縁シート１１が配設される。なお、収納部１ａの底壁には、第３の回路ブロック９に実装されている端子台９ｂを挿通して外部に露出させるための挿通窓１ｆが開口している。
【００１７】
一方、カバー２の周壁部２２の内側には第１の回路ブロック７が収納固定される。第１の回路ブロック７は、音声信号処理部１０２、モニタ部１０４、映像信号処理部１０５、制御部１０７、操作入力受付部１０８、メモリ部１０９、通信コネクタ１１０などがプリント配線板７ａに実装されて構成されている。なお、図１における１０４ａは、モニタ部１０４が具備する液晶ディスプレイ（ＬＣＤパネル）である。また図示は省略するが、プリント配線板７ａの後面にはメモリカード２００が挿抜自在に収納接続されるメモリカードソケットが実装されている。図５あるいは図６に示すように、カバー２の右側（正面から見て左側）の周壁部２２内側には、プリント配線板７ａの長手方向一端側に突設されている一対の突片７ｂ，７ｂが係止する一対の係止突起２２ｂ，２２ｂが設けられており、係止突起２２ｂ，２２ｂを各々突片７ｂ，７ｂに係止してプリント配線板７ａを仮止めした後、カバー２の後面側に設けられているねじ止め部２３，２３にプリント配線板７ａをねじ止めすることで第１の回路ブロック７が周壁部２２の内側に収納固定される。ここで、プリント配線板７ａに実装されている液晶ディスプレイ１０４ａの画面が、カバー２のボス部２１に設けられている矩形の窓孔２４を通して外部に臨ませてある。但し、ボス部２１の窓孔２４は、透光性を有した合成樹脂成形品からなる平板状の化粧パネル１２によってボス部２１の前面側から閉塞されており、かかる化粧パネル１２によって液晶ディスプレイ１０４ａの画面を保護している。
【００１８】
また、窓孔２４はボス部２１の左寄りに設けられており、ボス部２１前面の右側においては、多数の小孔が列設されている上部にスピーカ１０１が取り付けられ、その下部に通話スイッチＳＷ１、モニタスイッチＳＷ２，内線呼出スイッチＳＷ３を押操作するための操作ハンドル１３，１４Ａ，１４Ｂが取り付けられている。スピーカ１０１は、後述するように取付ばね１５を用いてカバー２のボス部２１後面側に取り付けられる。さらに、ボス部２１にはマイクロホン１００が収納固定される円筒形の収納凹部２１ｃが後面側に突設されている（図５並びに図６参照）。
【００１９】
モニタスイッチＳＷ２は、ドアホン子器Ｂに電源を供給してカメラ部等を起動して映像信号を送信させるとともにドアホン子器Ｂから送信されてくる映像をモニタ部１０４に表示させる際に操作されるものであり、内線呼出スイッチＳＷ３は、住戸内に設置されてインターホン装置Ａに接続されるインターホン装置（いわゆる副親機）に呼出信号を送信して内線呼出を行う際に操作されるものであって、いずれも、通話スイッチＳＷ１と同様に第１の回路ブロック７のプリント配線板７ａに実装され、カバー２のボス部２１を貫通する貫通孔（図示せず）を通して各スイッチＳＷ１，ＳＷ２，ＳＷ３の押釦が前面側に露出している。操作ハンドル１３，１４Ａ，１４Ｂは、何れも上部を支点として前後方向に回動自在且つ反操作向きに復帰力が付与される形でカバー２に取り付けられる。したがって、操作ハンドル１３，１４Ａ，１４Ｂを押して後方へ回動させたときに操作ハンドル１３，１４Ａ，１４Ｂの後面側に設けられている操作突起１３ａ，１４ｂ（図６参照）で各スイッチＳＷ１，ＳＷ２，ＳＷ３の押釦を押操作することができる。
【００２０】
また、ボス部２１における窓孔２１ａの下方には左右方向に延びた幅細の溝２１ｂが貫設されており、第１の回路ブロック７のプリント配線板７ａに実装されている合計４つの押釦スイッチＳＷ４〜ＳＷ７の押釦を押操作するための操作部１６1〜１６4がカバー２の後方から溝２１ｂに挿通されている。各操作部１６1〜１６4は、操作ハンドル１３等と同様に何れも下部を支点として前後方向に回動自在且つ反操作向きに復帰力が付与される形でカバー２に取り付けられる。したがって、操作部１６1〜１６4を押して後方へ回動させたときに操作部１６1〜１６4の後面側に設けられている操作突起１６ａ（図６参照）で各スイッチＳＷ４〜ＳＷ７の押釦を押操作することができる。なお、これら４つの押釦スイッチＳＷ４〜ＳＷ７が押操作されたときの動作については、本発明の要旨ではないので説明を省略する。
【００２１】
ここで、カバー２の周壁部２２においては、第１の回路ブロック７が具備するメモリカードソケットと対応する位置（右側面の下部）に、メモリカード２００をメモリカードソケットに挿入接続するための開口部２２ｃが設けられている。さらに、メモリカードソケットに対する異物の進入等を防ぐため、開口部２２ｃを開閉自在に塞ぐ蓋体１７が取り付けられている。
【００２２】
次に、本発明の要旨である、取付ばね１５を用いてスピーカ１０１をカバー２に取り付ける構造について、さらに詳しく説明する。
【００２３】
本実施形態における取付ばね１５は、同軸上に並ぶ２つのねじりコイルばね（以下、コイルばね部１５ａ，１５ａと呼ぶ。）を互いに対向する側の腕部同士で連結してなるダブルトーション形のねじりコイルばねで構成される。腕部の連結部位（以下、連結部１５ｂと呼ぶ。）はコイルばね部１５ａ，１５ａの軸と平行になっている。また、２つのコイルばね部１５ａ，１５ａの互いに連結されていない側の腕部１５ｃ，１５ｃの先端部分が連結部１５ｂと反対方向に折り曲げられている。
【００２４】
カバー２のボス部２１後面には、略円盤状のスピーカ１０１を内側に収める円筒形状の立壁２１ｄが突設されている（図５及び図６参照）。後方から見て立壁２１ｄの右側には、取付ばね１５の両腕部１５ｃ，１５ｃの先端部分が圧入によって固定される一対の固定部２５，２５が上下方向に並べて設けられる。また、後方から見て立壁２１ｄの左側には、ボス部２１底面に突設されたリブ２６の先端からボス部２１底面と略平行に立壁２１ｄ側へ突出する平板状の係止部２６ａが一体に設けられている。
【００２５】
而して、一対の固定部２５，２５にそれぞれ腕部１５ｃ，１５ｃの先端部分を圧入固定した後、コイルばね部１５ａ，１５ａのばね力に抗して連結部１５ｂを係止部２６ａに係止すれば、図６に示すように２つの腕部１５ｃ，１５ｃとカバー２（ボス部２１）内側の前面との間にスピーカ１０１を挟んで保持することができる。このように取付ばね１５を用いれば、ねじ止めに比べてスピーカ１０１を簡単にカバー２に取り付けることができ、しかも、取付ばね１５のばね力によってスピーカ１０１がカバー２に圧接されているので、特許文献１に記載されている従来例のように器体とスピーカとの間に生じる隙間に起因した「スピーカのびびり」が発生する虞がなく、また、ねじ止めの場合のように組立時におけるねじの締め不足や経時的なねじのゆるみによってスピーカと器体との間に隙間が生じることもない。
【００２６】
上述のように第１〜第４の回路ブロック７〜１０を収納したボディ１並びにカバー２を結合して構成される器体は、後部（ボディ１の収納部１ａ）をスイッチボックス（図示せず）内に収める形で、当該スイッチボックスに取り付けられた取付枠４が具備するねじ孔４３に螺合する取付ねじ６を用いて取付枠４に固定される。取付枠４は、金属板を加工することで上下両側の横片４０，４０と左右両側の縦片４１，４１とからなる略矩形枠状に形成されており、横片４０，４０に貫設されている各一対のボックスねじ挿通孔４０ａ，４０ａに挿通したボックスねじ（図示せず）を使って壁内に埋め込まれたスイッチボックスに取り付けられる。そして、横片４０，４０から前方へ切り起こして形成された合計４つの略Ｌ字形の切起片４２に前記ねじ孔４３が貫設されており、カバー２の主部２０におけるボス部２１を挟んだ上下両側に貫設されているねじ挿通孔２０ｂに挿通した取付ねじ６を取付枠４のねじ孔４３に各々螺合することで器体が取付枠４に固定される。なお、ボディ１のフランジ部１ｂには、切起片４２を逃げるための凹溝１ｄが合計４箇所に設けられている。
【００２７】
ところで、カバー２のボス部２１を除く部分（以下、外鍔部と呼ぶ。）にはねじ挿通孔２０ｂに挿通された取付ねじ６等が露出しているため、そのままの状態では外観上の見栄えが良くない。そこで、外鍔部の前面に略矩形枠状の化粧プレート３を取り付け、外鍔部を化粧プレート３で覆い隠すようにしている。この化粧プレート３は、日本工業規格で規格化されているフラッシプレート（ＪＩＳ  Ｃ  ８３１６参照）のうち、組合せ形のワイドプレートを構成する化粧板に相当し、背面側に突設されている複数の係止片（図示せず）をカバー２の主部２０に設けられている複数の係止孔２０ｃにそれぞれ挿入係止することでカバー２前面に着脱自在に取り付けられるものである（図３参照）。すなわち本実施形態においては、組合せ形プレートのプレート枠が、外鍔部としてカバー２と一体に構成されていることになる。なお、外鍔部の下側中央には矩形の挿通窓２０ｄが貫設されており、この挿通窓２０ｄを通して、第１の回路ブロック７のプリント配線板７ａに実装されている通信コネクタ１１０が外部に露出するようになっている。
【図面の簡単な説明】
【００２８】
【図１】本発明の実施形態を示す分解斜視図である。
【図２】同上の化粧プレートを取り外した状態の斜視図である。
【図３】同上の斜視図である。
【図４】同上の化粧プレートを取り外した状態の正面図である。
【図５】同上におけるカバーを後方から見た斜視図である。
【図６】同上におけるカバーの背面図である。
【図７】同上の化粧プレートを取り外した状態の一部破断した斜視図である。
【図８】同上のブロック図である。
【符号の説明】
【００２９】
１  ボディ
２  カバー
１５  取付ばね
１５ａ  コイルばね部
１５ｂ  連結部
１５ｃ  腕部
２０  主部
２１  ボス部
２５  固定部
２６  リブ
２６ａ  係止部
１０１  スピーカ
【図１】
2008034993.tif 000003
【図２】
2008034993.tif 000004
【図３】
2008034993.tif 000005
【図４】
2008034993.tif 000006
【図５】
2008034993.tif 000007
【図６】
2008034993.tif 000008
【図７】
2008034993.tif 000009
【図８】
2008034993.tif 000010